(57)【要約】【課題】電源装置や負荷装置などの部品が直接接触しない場合でも、正しい組合せで、照明装置などの製品を組み立てることができるようにし、組合せの間違いによる回路の故障を防ぐ。【解決手段】プリント配線板１４０，２４０は、２種類以上の電気回路に共通して用いられる。コネクタ実装部１５０，２５０には、コネクタを実装する。コネクタは、複数の端子を有する。複数の端子接続導体パターン（プリント配線１４１〜１４３，２４１〜２４３）は、コネクタの複数の端子にそれぞれ電気接続する。プリント配線板１４０，２４０に素子を実装することにより、電気回路（電源回路、負荷回路）が構成される。接続選択部１６０，２６０は、電気回路と、複数の端子接続導体パターンそれぞれとを電気接続できる。【選択図】図５
2012235060.tif 000002
【特許請求の範囲】
【請求項１】
２種類以上の電気回路に共通して用いられるプリント配線板において、
複数の端子を有するコネクタを実装するコネクタ実装部であって、実装されるコネクタの複数の端子にそれぞれ電気接続する複数の端子接続導体パターンを有するコネクタ実装部と、
上記プリント配線板に素子を実装することにより構成される電気回路と、上記複数の端子接続導体パターンそれぞれとを電気接続可能な接続選択部とを有することを特徴とするプリント配線板。
【請求項２】
上記接続選択部は、導通部品を実装可能な複数の導通部品実装部を有し、上記複数の導通部品実装部のうちいずれかの導通部品実装部に導通部品を実装すると、上記電気回路と、上記複数の端子接続導体パターンのうちのいずれかとが電気接続されることを特徴とする請求項１に記載のプリント配線板。
【請求項３】
上記コネクタ実装部は、３つ以上の端子接続導体パターンを有することを特徴とする請求項１または請求項２に記載のプリント配線板。
【請求項４】
請求項１乃至請求項３のいずれかに記載のプリント配線板と、
上記プリント配線板のコネクタ実装部に実装されたコネクタと、
上記プリント配線板に実装され、２種類以上の電気回路のなかから選択された電気回路を構成する素子とを有し、
上記電気回路の種類に応じて上記複数の端子接続導体パターンのなかから選択された端子接続導体パターンと、上記電気回路とが、上記接続選択部を介して電気接続されていることを特徴とするプリント回路板。
【請求項５】
上記接続選択部は、導通部品を実装可能な複数の導通部品実装部を有し、
上記プリント回路板は、上記複数の導通部品実装部のうちのいずれかに実装された導通部品を有することを特徴とする請求項４に記載のプリント回路板。
【請求項６】
上記コネクタ実装部は、３つ以上の端子接続導体パターンを有し、
上記電気回路の種類に応じて上記３つ以上の端子接続導体パターンのなかから選択された２つの端子接続導体パターンと、上記電気回路の２つの接続点とが、それぞれ、上記接続選択部を介して電気接続されていることを特徴とする請求項４または請求項５に記載のプリント回路板。
【請求項７】
上記電気回路は、電源回路または負荷回路であり、
上記電源回路の最大出力電圧及び定格出力電圧及び最大出力電流及び定格出力電流のうち少なくともいずれか、または、上記負荷回路の最大入力電圧及び定格入力電圧及び最大入力電流及び定格入力電流のうち少なくともいずれかに応じて、上記複数の端子接続導体パターンのなかから選択された端子接続導体パターンと、上記電源回路の出力端子または上記負荷回路の入力端子とが、上記接続選択部を介して電気接続されていることを特徴とする請求項４乃至請求項６のいずれかに記載のプリント回路板。
【請求項８】
上記コネクタは、上記電気回路の種類に関わらず、同一の形状の接続部品を結合できるコネクタであることを特徴とする請求項４乃至請求項７のいずれかに記載のプリント回路板。
【請求項９】
請求項４乃至請求項８に記載の複数のプリント回路板と、
上記複数のプリント回路板のコネクタに結合して、上記複数のプリント回路板の間を電気接続する接続部品とを有することを特徴とする装置。
【請求項１０】
上記複数のプリント回路板のうちの一つは、上記電気回路が、２種類以上の電源回路のなかから選択された電源回路であり、
上記複数のプリント回路板のうちの他の一つは、上記電気回路が、２種類以上の負荷回路のなかから選択された負荷回路であり、
上記接続部品は、上記電源回路と上記負荷回路との組合せが正しい場合に、上記電源回路から供給される電力を上記負荷回路へ伝達することを特徴とする請求項９に記載の装置。
【請求項１１】
上記接続部品は、３本以上の配線を有し、
上記複数のプリント回路板のそれぞれは、
上記コネクタが、上記接続部品の３本以上の配線にそれぞれ電気接続した３つ以上の端子を有し、
上記コネクタ実装部が、上記コネクタの３つ以上の端子にそれぞれ電気接続した３つ以上の端子接続導体パターンを有し、
上記電気回路が電源回路であるプリント回路板は、上記電源回路の種類に応じて上記３つ以上の端子接続導体パターンのなかから選択された２つの端子接続導体パターンと、上記電源回路の２つの出力端子とが、それぞれ、上記接続選択部を介して電気接続され、
上記電気回路が負荷回路であるプリント回路板は、上記負荷回路の２つの入力端子と、上記電気回路が上記負荷回路との組合せが正しい電源回路であるプリント回路板において上記３つ以上の端子接続導体パターンのなかから選択された２つの端子接続導体パターンにそれぞれ電気接続する上記接続部品の２本の配線にそれぞれ電気接続する２つの端子接続導体パターンとが、それぞれ、上記接続選択部を介して電気接続されていることを特徴とする請求項１０に記載の装置。
【請求項１２】
上記負荷回路は、上記電源回路から供給される電力により点灯する光源を有する光源回路であることを特徴とする請求項１０または請求項１１に記載の装置。
【発明の詳細な説明】
【技術分野】
【０００１】
この発明は、複数種類の変種がある電気回路に共通して用いられるプリント配線板に関する。
【背景技術】
【０００２】
照明装置などの電気製品において、利用者の多彩なニーズに対応するため、外観などが共通し、光源の数や発光色などの仕様が異なる複数の変種（バリエーション、ラインナップ）が存在する場合がある。これらの変種では、できるだけ共通した部品を使うことにより、製造コストなどを抑えることができる。
製品の変種に応じた複数の変種が存在する部品が複数ある場合、製品の組み立て時に、正しい組合せで部品を使う必要がある。複数の部品同士が直接接触する場合には、接触部分の形状を変種ごとに変えることにより、正しい組合せの場合のみ製品を組み立てることができ、間違った組合せでは製品を組み立てることができないようにする技術がある。また、間違った組合せをした場合に回路が故障しないよう、保護回路を設ける技術がある。
【先行技術文献】
【特許文献】
【０００３】
【特許文献１】特開２０１０−５５８２４号公報
【特許文献２】特開２００８−１０３４６１号公報
【発明の概要】
【発明が解決しようとする課題】
【０００４】
しかし、複数の部品の間をハーネスなどの接続部品を使って接続する場合など、複数の部品同士が直接接触しない場合には、接触部分の形状を変えることはできない。部品と接続部品とを接続するコネクタの形状を変えると、製品の変種ごとに接続部品を変える必要がある。
この発明は、例えば上記のような課題を解決するためになされたものであり、電源装置や負荷装置などの部品が直接接触しない場合でも、正しい組合せで、照明装置などの製品を組み立てることができるようにし、組合せの間違いによる回路の故障を防ぐことを目的とする。
【課題を解決するための手段】
【０００５】
この発明にかかるプリント配線板は、２種類以上の電気回路に共通して用いられるプリント配線板において、複数の端子を有するコネクタを実装するコネクタ実装部であって、実装されるコネクタの複数の端子にそれぞれ電気接続する複数の端子接続導体パターンを有するコネクタ実装部と、上記プリント配線板に素子を実装することにより構成される電気回路と、上記複数の端子接続導体パターンそれぞれとを電気接続可能な接続選択部とを有することを特徴とする。
【発明の効果】
【０００６】
この発明にかかるプリント配線板によれば、実装される電気回路の種類に応じて、接続選択部を介して電気回路と接続する端子接続導体パターンを変えることができる。このため、複数の部品をハーネスなどの接続部品を使って接続した場合でも、複数の部品の組合せが正しくなければ、電気回路の間が正しく電気接続せず、動作しないようにすることができる。このため、複数の回路の組合せが正しくないことを、動作試験で発見することができる。また、正しくない組合せで閉回路が形成されないようにすれば、組合せの間違いによる過電圧や過電流が発生せず、回路の故障を防ぐことができる。
【図面の簡単な説明】
【０００７】
【図１】実施の形態１における照明装置８００の全体構成を示す図。
【図２】実施の形態１における照明装置８００の第一の変種の詳細な構成を示す図。
【図３】実施の形態１における照明装置８００の第二の変種の詳細な構成を示す図。
【図４】実施の形態１における照明装置８００の第三の変種の詳細な構成を示す図。
【図５】実施の形態１におけるプリント配線板１４０及びプリント配線板２４０のプリントパターンを示す図。
【図６】実施の形態２におけるプリント配線板２４０のプリントパターンを示す図。
【図７】実施の形態３におけるプリント配線板１４０のプリントパターンを示す図。
【発明を実施するための形態】
【０００８】
実施の形態１．
実施の形態１について、図１〜図５を用いて説明する。
【０００９】
図１は、この実施の形態における照明装置８００の全体構成を示す図である。
照明装置８００（ＬＥＤ照明装置）は、電源装置１００と、負荷装置２００と、ハーネス３００とを有する。電源装置１００（直流電源回路部）は、商用電源などの交流電源ＡＣから供給される電力を、負荷装置２００に対して供給する電力（直流電力）に変換する。負荷装置２００（ＬＥＤモジュール部）は、ＬＥＤなどの光源を有する。負荷装置２００の光源は、電源装置１００から供給された電力により点灯する。ハーネス３００（接続ハーネス部）は、電源装置１００と、負荷装置２００との間を連結し、電気的に接続する。
【００１０】
照明装置８００には、複数の変種がある。照明装置８００の各変種は、例えば光源の明るさや発光色などが異なる。なお、以下の説明において、照明装置８００の各変種において異なる部分について、符号の後ろのアルファベット小文字を付けて区別する場合がある。
【００１１】
図２は、この実施の形態における照明装置８００の第一の変種の詳細な構成を示す図である。
ハーネス３００（接続部品）は、２つのコネクタ３１１，３１２と、３本の配線３２１〜３２３（電線）とを有する。コネクタ３１１は、３つの端子（ピン）を有する。コネクタ３１１の３つの端子は、３本の配線３２１〜３２３にそれぞれ電気接続している。コネクタ３１２は、３つの端子（ピン）を有する。配線３２１の３つの端子は、３本の配線３２１〜３２３にそれぞれ電気接続している。コネクタ３１１は、電源装置１００のコネクタ１１０と結合する。コネクタ３１２は、負荷装置２００のコネクタ２１０と結合する。これにより、ハーネス３００は、電源装置１００と負荷装置２００との間を連結する。
負荷装置２００ａ（プリント回路板）は、負荷回路２３０ａと、コネクタ２１０と、電気接続部２２０とを有する。負荷回路２３０ａ（光源回路、電気回路）は、例えば、ＬＥＤなど直流電力によって点灯する光源２３１が複数直列に電気接続した回路である。コネクタ２１０（ＬＥＤモジュール側コネクタ）は、３つの端子（ピン）を有する。コネクタ２１０は、ハーネス３００のコネクタ３１２と係合する。コネクタ２１０の３つの端子は、結合したコネクタ３１２の端子とそれぞれ接触して電気接続する。電気接続部２２０は、コネクタ２１０と、負荷回路２３０ａとの間に介在して、コネクタ２１０に接続されるハーネス３００の配線と、負荷回路２３０ａとを接続する。コネクタ２１０と、電気接続部２２０との間は、３つのプリント配線２４１〜２４３によって電気接続されている。また、電気接続部２２０と、負荷回路２３０ａとの間は、２つのプリント配線２４６，２４７によって電気接続されている。電気接続部２２０は、２つのジャンパー素子２２１，２２２（導通部品、ジャンパ抵抗、ジャンパ線）を有する。ジャンパー素子２２１は、ハーネス３００の配線３２１に電気接続するプリント配線２４１と、負荷回路２３０ａの入力（高電位側入力端子）に電気接続しているプリント配線２４６との間を電気接続している。ジャンパー素子２２２は、ハーネス３００の配線３２２に電気接続するプリント配線２４２と、負荷回路２３０ａの入力（低電位側入力端子）に電気接続しているプリント配線２４７との間を電気接続している。
電源装置１００ａ（プリント回路板）は、電源回路１３０ａと、コネクタ１１０と、電気接続部１２０とを有する。電源回路１３０ａ（電気回路）は、交流電源ＡＣから入力した交流電力を、負荷回路２３０ａに対して供給する直流電力に変換する。電源回路１３０ａは、例えば、フィルタ回路と、全波整流回路と、フライバックコンバータ回路とを有する。電源回路１３０ａの出力特性は、負荷回路２３０ａの電気的特性に合わせて設定されている。電源回路１３０ａの出力特性には、例えば、最大出力電圧、定格出力電圧、最大出力電流、定格出力電流などがある。また、負荷回路２３０ａの電気的特性には、例えば、最大入力電圧、定格入力電圧、最大入力電流、定格入力電流などがある。例えば、電源回路１３０ａは、出力電流を目標電流値に一致させようとする定電流電源である。目標電流値は、負荷回路２３０ａの光源２３１を所望の明るさで点灯するために流すべき電流に基づいて設定される。また、電源回路１３０ａには、最大出力電圧値が設定されている。無負荷状態のときは電流が流れないので、電源回路１３０ａは、出力電圧を高くして、電流を流そうとする。出力電圧が、設定された最大出力電圧値に達すると、電源回路１３０ａは、無負荷状態と判定して動作を停止するなどして、出力電圧が高くなり過ぎるのを防ぐ。最大出力電圧値は、光源２３１の両端電圧（順方向降下電圧）のバラツキを考慮して、目標電流値の電流を流したときの負荷回路２３０の両端電圧の最大値よりも多少余裕を持たせた値に設定される。
コネクタ１１０（電源側コネクタ）は、３つの端子（ピン）を有する。コネクタ１１０は、ハーネス３００のコネクタ３１１と結合して接続する。コネクタ１１０の３つの端子は、結合したコネクタ３１１の端子とそれぞれ接触して電気接続する。電気接続部１２０は、コネクタ１１０と、電源回路１３０ａとの間に介在して、コネクタ１１０に接続されるハーネス３００の配線と、電源回路１３０ａとを接続する。コネクタ１１０と、電気接続部１２０との間は、３つのプリント配線１４１〜１４３によって電気接続されている。また、電気接続部１２０と、電源回路１３０ａとの間は、２つのプリント配線１４６，１４７によって電気接続されている。電気接続部１２０は、２つのジャンパー素子１２１，１２２を有する。ジャンパー素子１２１は、ハーネス３００の配線３２１に電気接続するプリント配線１４１と、電源回路１３０ａの出力（高電位側出力端子）に電気接続しているプリント配線１４６との間を電気接続している。ジャンパー素子１２２は、ハーネス３００の配線３２２に電気接続するプリント配線１４２と、電源回路１３０ａの出力（低電位側出力端子）に電気接続しているプリント配線１４７との間を電気接続している。
したがって、電源回路１３０ａと負荷回路２３０ａとの間は、２つの経路を介して電気接続する。第一の経路は、プリント配線１４６、ジャンパー素子１２１、プリント配線１４１、配線３２１、プリント配線２４１、ジャンパー素子２２１、プリント配線２４６という経路である。第二の経路は、プリント配線１４７、ジャンパー素子１２２、プリント配線１４２、配線３２２、プリント配線２４２、ジャンパー素子２２２、プリント配線２４７という経路である。電源回路１３０ａが出力した電力は、この２つの経路を介して、負荷回路２３０ａに対して供給される。
なお、ハーネス３００の３本の配線３２１〜３２３のうち、配線３２３は、電源回路１３０ａにも負荷回路２３０ａにも電気接続せず、電気的に浮いた状態であり、無通電状態であって、電源回路１３０ａと負荷回路２３０ａとの間の接続に寄与しない。
【００１２】
図３は、この実施の形態における照明装置８００の第二の変種の詳細な構成を示す図である。
照明装置８００の第二の変種が第一の変種と比べて異なる点は、負荷回路２３０ｂ、電源回路１３０ｂ、並びに、電気接続部１２０及び電気接続部２２０内のジャンパー素子１２１，１２２，２２１，２２２の配置である。
負荷回路２３０ｂ（電気回路）は、光源２３１の数や種類が、負荷回路２３０ａと異なっている。このため、負荷回路２３０ｂの電気的特性が、負荷回路２３０ａとは違っている。
電源回路１３０ｂ（電気回路）の出力特性は、負荷回路２３０ｂの電気的特性に合わせて設定されている。負荷回路２３０ｂの電気的特性が負荷回路２３０ａと異なるので、電源回路１３０ｂの出力特性は、電源回路１３０ａと異なる。例えば、光源２３１の種類の違いにより、光源２３１に流すべき電流が変わるので、電源回路１３０ｂの目標電流値が異なる値に設定される。また、光源２３１の数や種類の違いにより、負荷回路２３０の両端電圧が変わるので、電源回路１３０ｂの最大出力電圧値が異なる値に設定される。
電気接続部２２０において、ジャンパー素子２２１は、第一の変種と同様、ハーネス３００の配線３２１に電気接続するプリント配線２４１と、負荷回路２３０ｂの入力（高電位側入力端子）に電気接続しているプリント配線２４６との間を電気接続している。しかし、ジャンパー素子２２２は、第一の変種と異なり、ハーネス３００の配線３２３に電気接続するプリント配線２４３と、負荷回路２３０ｂの入力（低電位側入力端子）に電気接続しているプリント配線２４７との間を電気接続している。
また、電気接続部１２０において、ジャンパー素子１２１は、第一の変種と同様、ハーネス３００の配線３２１に電気接続するプリント配線２４１と、電源回路１３０ｂの出力（高電位側出力端子）に電気接続しているプリント配線１４６との間を電気接続している。しかし、ジャンパー素子１２２は、第一の変種と異なり、ハーネス３００の配線３２３に電気接続するプリント配線１４３と、電源回路１３０ｂの出力（低電位側出力端子）に電気接続しているプリント配線１４７との間を電気接続している。
したがって、電源回路１３０ｂと負荷回路２３０ｂとの間は、２つの経路を介して電気接続している。第一の経路は、第一の変種と同様、プリント配線１４６、ジャンパー素子１２１、プリント配線１４１、配線３２１、プリント配線２４１、ジャンパー素子２２１、プリント配線２４６という経路である。第二の経路は、第一の変種と異なり、プリント配線１４７、ジャンパー素子１２２、プリント配線１４３、配線３２３、プリント配線２４３、ジャンパー素子２２２、プリント配線２４７という経路である。電源回路１３０ｂが出力した電力は、この２つの経路を介して、負荷回路２３０ｂに対して供給される。ハーネス３００の３本の配線３２１〜３２３のうち、配線３２２は、電源回路１３０ｂにも負荷回路２３０ｂにも電気接続せず、電気的に浮いた状態であり、無通電状態であって、電源回路１３０ｂと負荷回路２３０ｂとの間の接続に寄与しない。
【００１３】
図４は、この実施の形態における照明装置８００の第三の変種の詳細な構成を示す図である。
照明装置８００の第三の変種が第一及び第二の変種と比べて異なる点は、負荷回路２３０ｃ、電源回路１３０ｃ、並びに、電気接続部１２０及び電気接続部２２０内のジャンパー素子１２１，１２２，２２１，２２２の配置である。
負荷回路２３０ｃ（電気回路）は、光源２３１の数や種類が、負荷回路２３０ａや負荷回路２３０ｂと異なっている。このため、負荷回路２３０ｃの電気的特性が、負荷回路２３０ａ，２３０ｂとは違っている。
電源回路１３０ｃ（電気回路）の出力特性は、負荷回路２３０ｃの電気的特性に合わせて設定されている。このため、電源回路１３０ｃの出力特性は、電源回路１３０ａ，１３０ｂと異なる。
電気接続部２２０において、ジャンパー素子２２１は、ハーネス３００の配線３２２に電気接続するプリント配線２４２と、負荷回路２３０ｃの入力（高電位側入力）に電気接続しているプリント配線２４６との間を電気接続している。ジャンパー素子２２２は、第二の変種と同様、ハーネス３００の配線３２３に電気接続するプリント配線２４３と、負荷回路２３０ｃの入力（低電位側入力）に電気接続しているプリント配線２４７との間を電気接続している。
また、電気接続部１２０において、ジャンパー素子１２１は、ハーネス３００の配線３２２に電気接続するプリント配線２４２と、電源回路１３０ｃの出力（高電位側出力）に電気接続しているプリント配線１４６との間を電気接続している。ジャンパー素子１２２は、第二の変種と同様、ハーネス３００の配線３２３に電気接続するプリント配線１４３と、電源回路１３０ｃの出力（低電位側出力）に電気接続しているプリント配線１４７との間を電気接続している。
したがって、電源回路１３０ｃと負荷回路２３０ｃとの間は、２つの経路を介して電気接続している。第一の経路は、プリント配線１４６、ジャンパー素子１２１、プリント配線１４２、配線３２２、プリント配線２４２、ジャンパー素子２２１、プリント配線２４６という経路である。第二の経路は、第二の変種と同様、プリント配線１４７、ジャンパー素子１２２、プリント配線１４３、配線３２３、プリント配線２４３、ジャンパー素子２２２、プリント配線２４７という経路である。電源回路１３０ｃが出力した電力は、この２つの経路を介して、負荷回路２３０ｃに対して供給される。ハーネス３００の３本の配線３２１〜３２３のうち、配線３２１は、電源回路１３０ｃにも負荷回路２３０ｃにも電気接続せず、電気的に浮いた状態であり、無通電状態であって、電源回路１３０ｃと負荷回路２３０ｃとの間の接続に寄与しない。
【００１４】
照明装置８００のすべての変種において、ハーネス３００は、共通している。すなわち、一種類のハーネス３００が、照明装置８００のすべての変種の製造に用いられる。変種ごとに異なるハーネス３００を用意する必要がないので、部品の在庫管理などにかかるコストを削減することができる。
【００１５】
電源装置１００ａ〜１００ｃのコネクタ１１０の形状はすべて同じであり、同じハーネス３００のコネクタ３１１と接続できる。また、負荷装置２００ａ〜２００ｃのコネクタ２１０の形状はすべて同じであり、同じハーネス３００のコネクタ３１２と接続できる。
このため、照明装置８００の組立て時において、電源装置１００と、負荷装置２００との組合せを間違えて接続する可能性がある。
【００１６】
例えば、間違えて、電源装置１００ａと、負荷装置２００ｂとを接続したとする。その場合、電源回路１３０ａと負荷回路２３０との間を接続する経路は、プリント配線１４６、ジャンパー素子１２１、電気接続部１２０、配線３２１、プリント配線２４１、ジャンパー素子２２１、プリント配線２４６という経路だけであり、もう一つの経路が形成されない。このため、電源回路１３０ａが出力した電力は、負荷回路２３０ｂに供給されない。このため、過電圧や過電流などにより負荷回路２３０ｂが故障するのを防ぐことができ、また、点灯試験により、誤接続を発見することができる。
他の間違った組合せで接続した場合も同様に、電源回路１３０が出力した電力が負荷回路２３０に供給されないので、負荷回路２３０ｂの故障を防ぎ、誤接続を発見することができる。
【００１７】
なお、ハーネス３００の配線は、３本に限らず、４本以上であってもよい。また、電源装置１００から負荷装置２００へ電力を供給するために使われる２本の配線以外の配線を、制御信号の伝達など他の用途に使う構成であってもよい。
また、照明装置８００の変種が２種類しかない場合は、電気接続部１２０及び電気接続部２２０のジャンパー素子は、それぞれ１つずつでよい。例えば、電気接続部１２０において、プリント配線１４１と、プリント配線１４６とを直接接続し、ジャンパー素子１２２により、プリント配線１４２またはプリント配線１４３と、プリント配線１４７とを電気接続する。同様に、電気接続部２２０において、プリント配線２４１と、プリント配線２４６とを直接接続し、ジャンパー素子２２２により、プリント配線２４２またはプリント配線２４３と、プリント配線２４７とを電気接続する。
【００１８】
図５は、この実施の形態におけるプリント配線板１４０及びプリント配線板２４０のプリントパターンを示す図である。
電源装置１００は、プリント配線板１４０（直流電源基板）に部品を実装することによって構成される。電源回路１３０の出力特性は、実装する部品の回路定数（例えば、抵抗の抵抗値）を変えることにより、変えることができる。このため、電源装置１００ａ〜１００ｃは、同じプリント配線板１４０を使って構成される。
負荷装置２００は、プリント配線板２４０（ＬＥＤモジュール基板）に部品を実装することによって構成される。負荷回路２３０の光源の数を変える場合、例えば、それぞれの光源の実装位置（ＬＥＤ実装部分）と並列にジャンパー素子（チップジャンパ）を実装できる部分（ジャンパ実装部分）を設けておき、実装しない光源の代わりにジャンパー素子を実装すればよい。このようにすれば、負荷装置２００ａ〜２００ｃは、同じプリント配線板２４０を使って構成できる。
【００１９】
プリント配線板１４０及びプリント配線板２４０は、プリント配線と、ランド（パッド）とを有する。プリント配線は、例えばプリント配線板の表面を覆う銅箔などをエッチングして銅箔の一部を剥離し、残った銅箔により構成される。ランドは、例えば表面実装部品などを実装して、プリント配線と電気接続するための部分である。ランドは、例えばプリント配線の一部にレジストで覆われていない露出した部分を設けることにより構成される。
【００２０】
プリント配線板１４０において、ランド１５１及びランド１６１は、プリント配線１４１（端子接続導体パターン）を介して、互いに電気接続している。ランド１５２及びランド１６２は、プリント配線１４２（端子接続導体パターン）を介して、互いに電気接続している。ランド１５３及びランド１６３は、プリント配線１４３（端子接続導体パターン）を介して、互いに電気接続している。ランド１６６は、プリント配線１４６（入力端子）と電気接続している。ランド１６７は、プリント配線１４７（入力端子）と電気接続している。
３つのランド１５１，１５２，１５３は、コネクタ実装部１５０を構成している。コネクタ実装部１５０は、プリント配線板１４０にコネクタ１１０を実装する部分である。ランド１５１〜１５３は、コネクタ実装部１５０に実装されるコネクタ１１０の端子にそれぞれ電気接続される。ランド１５１が接続される端子は、ハーネス３００の配線３２１に電気接続する。ランド１５２が接続される端子は、ハーネス３００の配線３２２に電気接続する。ランド１５３が接続される端子は、ハーネス３００の配線３２３に電気接続する。
５つのランド１６１，１６２，１６３，１６６，１６７は、接続選択部１６０を構成している。接続選択部１６０（電源側接続経路選択パターン）は、ジャンパー素子１２１，１２２を実装することにより、上述した電気接続部１２０を構成し、電源回路１３０の出力特性に応じて、電源回路１３０の出力と接続するハーネス３００の配線を選択するための部分である。
ランド１６６は、ランド１６１及びランド１６２との間に、ジャンパー素子１２１を実装できる位置に設けられている。ランド１６６とランド１６１との間（導通部品実装部）にジャンパー素子１２１を実装することにより、プリント配線１４６とプリント配線１４１とが電気接続し、ランド１６６とランド１６２との間（導通部品実装部）にジャンパー素子１２２を実装することにより、プリント配線１４６とプリント配線１４２とが電気接続する。
ランド１６７は、ランド１６２及びランド１６３との間にジャンパー素子１２２を実装できる位置に設けられている。ランド１６７とランド１６２との間（導通部品実装部）にジャンパー素子１２２を実装することにより、プリント配線１４７とプリント配線１４２とが電気接続し、ランド１６７とランド１６３との間（導通部品実装部）にジャンパー素子１２２を実装することにより、プリント配線１４７とプリント配線１４３とが電気接続する。
このように、ジャンパー素子１２１，１２２を実装する位置を変えることにより、電源回路１３０と接続するプリント配線を変え、電源回路１３０と接続するハーネス３００の配線を変えることができる。
【００２１】
プリント配線板２４０において、ランド２５１及びランド２６１は、プリント配線２４１（端子接続導体パターン）を介して、互いに電気接続している。ランド２５２及びランド２６２は、プリント配線２４２（端子接続導体パターン）を介して、互いに電気接続している。ランド２５３及びランド２６３は、プリント配線２４３（端子接続導体パターン）を介して、互いに電気接続している。ランド２６６は、プリント配線２４６（出力端子）と電気接続している。ランド２６７は、プリント配線２４７（出力端子）と電気接続している。
３つのランド２５１，２５２，２５３は、コネクタ実装部２５０を構成している。コネクタ実装部２５０は、プリント配線板２４０にコネクタ２１０を実装する部分である。ランド２５１〜２５３は、コネクタ実装部２５０に実装されるコネクタ２１０の端子にそれぞれ電気接続される。ランド２５１に接続される端子は、ハーネス３００の配線３２１に電気接続する。ランド２５２に接続される端子は、ハーネス３００の配線３２２に電気接続する。ランド２５３に接続される端子は、ハーネス３００の配線３２３に電気接続する。
５つのランド２６１，２６２，２６３，２６６，２６７は、接続選択部２６０を構成している。接続選択部２６０（モジュール側接続経路選択パターン）は、ジャンパー素子２２１，２２２を実装することにより、上述した電気接続部２２０を構成し、負荷回路２３０の電気的特性に応じて、負荷回路２３０の入力と接続するハーネス３００の配線を選択するための部分である。
ランド２６６は、ランド２６１及びランド２６２との間に、ジャンパー素子２２１を実装できる位置に設けられている。ランド２６６とランド２６１との間（導通部品実装部）にジャンパー素子２２１を実装することにより、プリント配線２４６とプリント配線２４１とが電気接続し、ランド２６６とランド２６２との間（導通部品実装部）にジャンパー素子２２２を実装することにより、プリント配線２４６とプリント配線２４２とが電気接続する。
ランド２６７は、ランド２６２及びランド２６３との間にジャンパー素子２２２を実装できる位置に設けられている。ランド２６７とランド２６２との間（導通部品実装部）にジャンパー素子２２２を実装することにより、プリント配線２４７とプリント配線２４２とが電気接続し、ランド２６７とランド２６３との間（導通部品実装部）にジャンパー素子２２２を実装することにより、プリント配線２４７とプリント配線２４３とが電気接続する。
【００２２】
このように、ジャンパー素子２２１，２２２を実装する位置を変えることにより、負荷回路２３０と接続するプリント配線を変え、負荷回路２３０と接続するハーネス３００の配線を変えることができる。
ハーネス３００の配線は、それぞれ、３種類の接続のうちの１つで使用されず、残りの２種類の接続で使用される。１本の配線を２種類の接続で使用するので、コネクタ内で使用接続端子を分けて使用した場合と比べて、コネクタの使用極数を少なくできる。
【００２３】
なお、電気接続部１２０は、ジャンパー素子を用いた構成に限らず、他の構成であってもよい。例えば、プリント配線板１４０に、５つのプリント配線１４１，１４６，１４２，１４７，１４３が電気接続したプリント配線を設けておき、不要な部分のプリント配線を削り取る構成であってもよい。あるいは、プリント配線板１４０にディップスイッチなどのスイッチを実装し、スイッチを切り替えることにより接続を変更する構成であってもよい。あるいは、プリント配線の接続が異なる複数種類のプリント配線板１４０を用意しておき、製造する電源装置１００の変種に応じて、異なる種類のプリント配線板１４０を使用する構成であってもよい。電気接続部２２０についても同様である。また、電気接続部１２０の構成と、電気接続部２２０の構成とが異なる構成であってもよい。
【００２４】
実施の形態２．
実施の形態２について、図６を用いて説明する。
なお、実施の形態１と共通する部分については、同一の符号を付し、説明を省略する。
【００２５】
図６は、この実施の形態におけるプリント配線板２４０のプリントパターンを示す図である。
プリント配線板２４０は、７つのプリント配線２４１〜２４３，２７１〜２７４と、１５個のランド２５１〜２５３，２６１，２６８，２８６〜２９５とを有する。プリント配線２４１（端子接続導体パターン）は、ランド２５１，２６１の間を、プリント配線２４２（端子接続導体パターン）は、ランド２５２，２８６の間を、プリント配線２４３（端子接続導体パターン）は、ランド２５３，２８８の間を、プリント配線２７１は、ランド２８７，２９０の間を、プリント配線２７２は、ランド２９１，２９４の間を、プリント配線２７３は、ランド２６８，２９５，２９３の間を、プリント配線２７４は、ランド２９２，２８９の間を、それぞれ電気接続している。ランド２５１〜２５３は、コネクタ実装部２５０を、ランド２８６，２８７は、光源実装部２８１を、ランド２８８，２８９は、光源実装部２８２を、ランド２９０，２９１は、光源実装部２８３を、ランド２９２，２９３は、光源実装部２８４を、ランド２９４，２９５は、光源実装部２８５を、それぞれ構成している。各光源実装部２８１〜２８５のランドの間には、光源２３１が実装される。また、６つのランド２６１，２６８，２８６〜２８９は、接続選択部２６０を構成している。すなわち、ランド２８６〜２８９は、光源実装部であると同時に、接続選択部２６０でもある。ランド２６１，２６８の間（導通部品実装部）には、ジャンパー素子（導通部品）が実装可能である。
【００２６】
プリント配線板２４０は、負荷装置２００の３種類の変種の製造に共通して使用される。３種類の負荷装置２００ａ〜２００ｃは、光源２３１の数が異なる。
負荷装置２００ａは、３つの光源２３１を有する。負荷装置２００ａは、３つの光源２３１を、それぞれ、光源実装部２８１，２８３，２８５に実装し、ジャンパー素子２２１を、ランド２６１，２６８の間に実装して製造される。これにより、ランド２５１，２５２の間に、ジャンパー素子２２１と、３つの光源２３１との直列回路が形成される。ランド２５３は、この回路のどこにも電気接続していない。負荷装置２００ａは、ハーネス３００を介して、実施の形態１で説明した電源装置１００ａと接続される。
負荷装置２００ｂは、２つの光源２３１を有する。負荷装置２００ｂは、２つの光源２３１を、それぞれ、光源実装部２８２，２８４に実装し、ジャンパー素子２２１を、ランド２６１，２６８の間に実装して製造される。これにより、ランド２５１，２５３の間に、ジャンパー素子２２１と、２つの光源２３１との直列回路が形成される。ランド２５２は、この回路のどこにも電気接続していない。負荷装置２００ｂは、ハーネス３００を介して、実施の形態１で説明した電源装置１００ｂと接続される。
負荷装置２００ｃは、５つの光源２３１を有する。負荷装置２００ｃは、５つの光源２３１を、それぞれ、光源実装部２８１〜２８５に実装して製造される。これにより、ランド２５２，２５３の間に、５つの光源２３１の直列回路が形成される。ランド２５１は、この回路のどこにも電気接続していない。負荷装置２００ｃは、ハーネス３００を介して、実施の形態１で説明した電源装置１００ｃと接続される。
すなわち、光源実装部２８１（導通部品実装部）に光源２３１（導通部品）を実装しないことにより、ランド２５２が負荷回路２３０から切り離され、光源実装部２８２（導通部品実装部）に光源２３１（導通部品）を実装しないことにより、ランド２５３が負荷回路２３０から切り離される。
【００２７】
このように、光源実装部２８１，２８２に実装される光源２３１を、ジャンパー素子２２２の代わりとして用いる。これにより、プリント配線板２４０に実装するジャンパー素子２２２の数を減らすことができるので、負荷装置２００ひいては照明装置８００の製造コストを抑えることができる。
なお、ジャンパー素子の代わりとして用いる素子（導通部品）は、光源２３１に限らず、負荷装置２００の種類によって、実装するかしないかが変わる素子であればよい。また、電源装置１００も同様に、電源装置１００の種類によって実装するかしないかが変わる素子を、ジャンパー素子の代わりとして用いる構成であってもよい。
【００２８】
実施の形態３．
実施の形態３について、図７を用いて説明する。
なお、実施の形態１または実施の形態２と共通する部分については、同一の符号を付し、説明を省略する。
【００２９】
図７は、この実施の形態におけるプリント配線板１４０のプリントパターンを示す図である。
プリント配線板１４０は、６つのプリント配線１４１〜１４４，１４６，１４７と、１０個のランド１５１〜１５４，１６１〜１６４，１６６，１６７を有する。プリント配線１４１は、ランド１５１，１６１の間を、プリント配線１４２は、ランド１５２，１６２の間を、プリント配線１４３は、ランド１５３，１６３の間を、プリント配線１４４は、ランド１５４，１６４の間を、それぞれ電気接続している。ランド１６６は、電源回路１３０の出力（高電位側出力）に接続したプリント配線１４６に電気接続している。ランド１６７は、電源回路１３０の出力（低電位側出力）に接続したプリント配線１４７に電気接続している。
４つのランド１５１〜１５４は、コネクタ実装部１５０を構成している。この実施の形態におけるハーネス３００は、４本の配線３２１〜３２４（図示せず）を有する。コネクタ実装部１５０に実装されるコネクタ１１０を介して、４つのランド１５１〜１５４は、コネクタ１１０に接続したハーネス３００の配線３２１〜３２４にそれぞれ電気接続する。
６つのランド１６１〜１６４，１６６，１６７は、接続選択部１６０を構成している。ジャンパー素子１２１（図示せず）は、ランド１６６と、ランド１６１またはランド１６２またはランド１６３との間に実装される。ジャンパー素子１２２（図示せず）は、ランド１６７と、ランド１６２またはランド１６３またはランド１６４との間に実装される。ランド１６２，１６３，１６６，１６７は、ジャンパー素子を９０度異なる向きに実装できるよう、２つに分かれている。
【００３０】
プリント配線板１４０は、電源装置１００の６種類の変種の製造に共通して使用される。
電源装置１００の第一の変種では、ジャンパー素子１２１をランド１６６，１６１の間に実装し、ジャンパー素子１２２をランド１６７，１６２の間に実装する。これにより、電源回路１３０が出力する電力は、ランド１５１に接続するハーネス３００の配線３２１と、ランド１５２に接続するハーネス３００の配線３２２とを介して、負荷装置２００に供給される。
電源装置１００の第二の変種では、ジャンパー素子１２１をランド１６６，１６１の間に実装し、ジャンパー素子１２２をランド１６７，１６３の間に実装する。これにより、電源回路１３０が出力する電力は、配線３２１と、ランド１５３に接続するハーネス３００の配線３２３とを介して、負荷装置２００に供給される。
電源装置１００の第三の変種では、ジャンパー素子１２１をランド１６６，１６１の間に実装し、ジャンパー素子１２２をランド１６７，１６４の間に実装する。これにより、電源回路１３０が出力する電力は、配線３２１と、ランド１５４に接続するハーネス３００の配線３２４とを介して、負荷装置２００に供給される。
電源装置１００の第四の変種では、ジャンパー素子１２１をランド１６６，１６２の間に実装し、ジャンパー素子１２２をランド１６７，１６３の間に実装する。これにより、電源回路１３０が出力する電力は、配線３２２と、配線３２３とを介して、負荷装置２００に供給される。
電源装置１００の第五の変種では、ジャンパー素子１２１をランド１６６，１６２の間に実装し、ジャンパー素子１２２をランド１６７，１６４の間に実装する。これにより、電源回路１３０が出力する電力は、配線３２２と、配線３２４とを介して、負荷装置２００に供給される。
電源装置１００の第六の変種では、ジャンパー素子１２１をランド１６６，１６３の間に実装し、ジャンパー素子１２２をランド１６７，１６４の間に実装する。これにより、電源回路１３０が出力する電力は、配線３２３と、配線３２４とを介して、負荷装置２００に供給される。
【００３１】
負荷装置２００にも６種類の変種がある。負荷装置２００のそれぞれの変種は、電源装置１００の変種のうちの１つの対応している。詳しい説明は省略するが、負荷装置２００は、ハーネス３００の４本の配線３２１〜３２４のうち、対応する電源装置１００において電源回路１３０が接続した２本の配線から供給される電力が、負荷回路２３０に供給されるよう構成する。
【００３２】
なお、ジャンパー素子１２１をランド１６６，１６３の間に実装し、ジャンパー素子１２２をランド１６７，１６２の間に実装するという接続も可能であるが、この接続は使用しない。なぜなら、その接続を使った電源装置１００に、間違って、電源装置１００の第四の変種に対応した負荷装置２００を接続すると、負荷回路２３０に逆電圧が印加されるからである。
【００３３】
このように、ハーネス３００の配線の数を増やすことにより、同じハーネス３００を使って接続する電源装置１００や負荷装置２００の変種の数を増やすことができる。
【００３４】
ハーネス３００の配線の数がｎ本であるとすると、そのなかから２本を選択する組合せの数は、ｎＣ２＝ｎ・（ｎ−１）／２である。したがって、ｎ本の配線を有するハーネス３００を使えば、電源装置１００及び負荷装置２００のｎ・（ｎ−１）／２種類の変種を接続できる。例えば、ハーネス３００が５本の配線を有する場合、電源装置１００及び負荷装置２００の１０種類の変種を接続できる。
【００３５】
なお、負荷装置２００に逆電圧に対する保護回路を設け、逆電圧が印加された場合に、負荷回路２３０に対して電力が供給されず、光源２３１が点灯しないよう構成すれば、同じ２本の配線を使って逆極性の電力を供給する接続も使用できるので、同じハーネス３００を使って接続できる電源装置１００及び負荷装置２００の変種の数は、２倍になる。すなわち、ｎ本の配線を有するハーネス３００を使って、電源装置１００及び負荷装置２００のｎ・（ｎ−１）種類の変種を接続できる。
【００３６】
以上説明した構成は、一例であり、他の構成であってもよい。例えば、異なる実施の形態で説明した構成を組み合わせた構成であってもよいし、本質的でない部分の構成を、他の構成で置き換えた構成であってもよい。
【符号の説明】
【００３７】
１００  電源装置、１１０，２１０，３１１，３１２  コネクタ、１２０，２２０  電気接続部、１２１，１２２，２２１，２２２  ジャンパー素子、１３０  電源回路、１４０，２４０  プリント配線板、１４１〜１４７，２４１〜２４７，２７１〜２７４  プリント配線、１５０，２５０  コネクタ実装部、１５１〜１５４，１６１〜１６７，２５１〜２５３，２６１〜２６８，２８６〜２９５  ランド、１６０，２６０  接続選択部、２００  負荷装置、２３０  負荷回路、２３１  光源、２８１〜２８５  光源実装部、３００  ハーネス、３２１〜３２４  配線、８００  照明装置、ＡＣ  交流電源。
【図１】
2012235060.tif 000003
【図２】
2012235060.tif 000004
【図３】
2012235060.tif 000005
【図４】
2012235060.tif 000006
【図５】
2012235060.tif 000007
【図６】
2012235060.tif 000008
【図７】
2012235060.tif 000009